(57)【要約】【課題】ゴミ袋を開口からいちいち取り出す必要がなく、しかも体を前方に倒し、且つ手をいっぱいに伸ばすような無理な姿勢をとる必要もなくなり、ゴミ袋を容易に収集することができるゴミ集積場カバー装置を提供する。【解決手段】枠状部１１をフレーム３に重なる収納姿勢となる方向へ回動させる。丸棒２５が係止片２７の先端部に当接してこの先端部を僅かに押し上げながら通過する。係止片２７は自らの弾性力によって元の姿勢に戻り丸棒２５を係止する。また丸棒２５が係止フック３３の先端部に当接してこの先端部を押し上げ、係止フック３３が軸３１を中心にして回動する。丸棒２５が係止フック３３の先端部を通過すると、係止フック３３が自重によって逆方向へ回動して丸棒２５を係止する。ネット３５は枠状部１１と共に持ち上げられる。これによりゴミ袋Ｇを覆っていた枠状部１１、ネット３５及び開閉蓋３９が除かれる。【選択図】        図１
0003163662.tif 000002
【実用新案登録請求の範囲】
【請求項１】
地面等の設置面に立設するベースと、前記ベースを立設姿勢で設置面に固定する設置面用固定手段と、前記ベースに重なる収納姿勢と水平な姿勢で張り出す使用姿勢とに動作自在に支持された枠状部と、前記枠状部を収納姿勢と使用姿勢にそれぞれ保持する保持手段と、前記枠状部に取り付けられて筒状を為し、且つ柔軟性を有する材料から構成され、前記枠状部が使用姿勢になると下端が設置面に到達する丈を有するネットと、前記枠状部に取り付けられ、前記枠状部の開口を閉鎖する状態と開放する状態とに動作する開閉蓋とから成ることを特徴とするゴミ集積場カバー装置。
【請求項２】
請求項１に記載したゴミ集積場カバー装置において、ベースは側面が薄型のフレームまたは板材によって構成されていることを特徴とするゴミ集積場カバー装置。
【請求項３】
請求項１または２に記載したゴミ集積場カバー装置において、ベースを建築物の壁面等の固定部材に固定する固定部材用固定手段を備えたことを特徴とするゴミ集積場カバー装置。
【請求項４】
請求項１から３のいずれかに記載したゴミ集積場カバー装置において、枠状部を収納姿勢とした状態でネットを前記枠状部に結束する結束手段を備えたことを特徴とするゴミ集積場カバー装置。
【請求項５】
請求項１から４のいずれかに記載したゴミ集積場カバー装置において、ネットの下端部にはネットのめくれ防止用のウエイトが備えられていることを特徴とするゴミ集積場カバー装置。
【考案の詳細な説明】
【技術分野】
【０００１】
本考案はゴミ集積場カバー装置に係り、特にカラス、猫等によってゴミが荒らされるのを防止するゴミ集積場カバー装置に関するものである。
【背景技術】
【０００２】
ゴミを屋外の収集場所に出しておくと、カラス、猫等によってゴミ袋が破られて、ゴミが散らかってしまうということがよくある。このようにカラス等によってゴミが荒らされるのを防止するための装置としては、例えば、特許文献１に記載された廃棄物収集用フェンスがある。この装置は、ステンレス製の金網によって構成され、左右の側板、前板、背板及び第１、２の上板等からなり、第１、２の上板は開閉できるようになっており、第１、２の上板を開いて、ゴミ袋を上面開口から左右の側板、前板、背板に囲まれたゴミ収容空間に投入する。また、左右の側板、前板、背板及び第１、２の上板等は重なる状態に折り畳むことができる。
【先行技術文献】
【特許文献】
【０００３】
【特許文献１】特開２００３−８９４０１
【考案の概要】
【考案が解決しようとする課題】
【０００４】
しかしながら、上記従来の装置では、ゴミ袋を収集する際には上記ゴミ収容空間に収納されたゴミ袋を上面開口からいちいち取り出さなくてはならず面倒であるばかりか、作業員がゴミ収容空間内の端にあるゴミ袋を取り出す場合、体を前方に倒し、且つ手をいっぱいに伸ばさなくてはならず、無理な姿勢をとることになり、重労働を余儀なくされることになる。
本考案は上記従来の問題点に着目して為されたものであり、ゴミ袋を開口からいちいち取り出す必要がなく、しかも体を前方に倒し、且つ手をいっぱいに伸ばすような無理な姿勢をとる必要もなくなり、ゴミ袋を容易に収集することができるゴミ集積場カバー装置を提供することを、その目的とする。
【課題を解決するための手段】
【０００５】
本考案は上記課題を解決するためになされたものであり、請求項１の考案は、地面等の設置面に立設するベースと、前記ベースを立設姿勢で設置面に固定する設置面用固定手段と、前記ベースに重なる収納姿勢と水平な姿勢で張り出す使用姿勢とに動作自在に支持された枠状部と、前記枠状部を収納姿勢と使用姿勢にそれぞれ保持する保持手段と、前記枠状部に取り付けられて筒状を為し、且つ柔軟性を有する材料から構成され、前記枠状部が使用姿勢になると下端が設置面に到達する丈を有するネットと、前記枠状部に取り付けられ、前記枠状部の開口を閉鎖する状態と開放する状態とに動作する開閉蓋とから成ることを特徴とするゴミ集積場カバー装置である。
【０００６】
請求項２の考案は、請求項１に記載したゴミ集積場カバー装置において、ベースは側面が薄型のフレームまたは板材によって構成されていることを特徴とするゴミ集積場カバー装置である。
【０００７】
請求項３の考案は、請求項１または２に記載したゴミ集積場カバー装置において、ベースを建築物の壁面等の固定部材に固定する固定部材用固定手段を備えたことを特徴とするゴミ集積場カバー装置である。
【０００８】
請求項４の考案は、請求項１から３のいずれかに記載したゴミ集積場カバー装置において、枠状部を収納姿勢とした状態でネットを前記枠状部に結束する結束手段を備えたことを特徴とするゴミ集積場カバー装置である。
【０００９】
請求項５の考案は、請求項１から４のいずれかに記載したゴミ集積場カバー装置において、ネットの下端部にはネットのめくれ防止用のウエイトが備えられていることを特徴とするゴミ集積場カバー装置である。
【考案の効果】
【００１０】
本考案のゴミ集積場カバー装置によれば、ゴミ袋を開口からいちいち取り出す必要がなく、しかも、体を前方に倒し、且つ手をいっぱいに伸ばすような無理な姿勢をとる必要もない。従って、ゴミ袋を容易に収集することができる。
【図面の簡単な説明】
【００１１】
【図１】本考案の実施の形態に係るゴミ集積場カバー装置の斜視図である。
【図２】図１のゴミ集積場カバー装置にゴミ袋を収容する様子を示す図である。
【図３】図１のゴミ集積場カバー装置の枠状部が収納姿勢に保持された状態を示す図である。
【図４】図１のゴミ集積場カバー装置のネットが枠状部に結束された状態を示す図である。
【図５】図４のゴミ集積場カバー装置の側面図である。
【考案を実施するための形態】
【００１２】
本考案の実施の形態に係るゴミ集積場カバー装置１を図面にしたがって説明する。
図１において符号３はベースとしての矩形状のフレームを示し、このフレーム３は鋼製のアングル材によって構成されており、フレーム３の側面が薄型になるように形成されている。フレーム３の上下方向の略中間部には、左右方向へ延びる連結アングル５が渡設されている。
フレーム３の下部には、前方向へ突出する固定片７が形成されている。この固定片７には、アンカーボルト９が貫通されており、このアンカーボルト９によってフレーム３は立設姿勢で地面等の設置面Ｓに固定されている。これら固定片７、アンカーボルト９によって設置面用固定手段が構成されている。
【００１３】
符号１１は矩形状の枠状部を示し、この枠状部１１も鋼製のアングル材によって構成されており、枠状部１１の側面も薄型になるように形成されている。図１において枠状部１１の左右方向の中間部には、前後方向へ延びる連結アングル１３が渡設されており、この連結アングル１３によって枠状部１１の開口１５が２つに区分けされている。
枠状部１１の後端部は図示しない蝶番を介して連結アングル５に回動自在に連結されている。これにより枠状部１１はフレーム３に重なる収納姿勢と水平な姿勢で張り出す使用姿勢とに動作自在に支持されている。
【００１４】
符号１７は支持部を示し、この支持部１７は枠状部１１の左右の両端側にそれぞれ備えられている。支持部１７は２つの長尺なプレート１９、２１によって構成されており、プレート１９の一端部は、枠状部１１の外側面に連結ピンを介して回動自在に連結されている。プレート１９の他端部は連結ピンを介してプレート２１の一端部に回動自在に連結されており、プレート２１の他端部は、連結ピンを介してフレーム３の内側面に回動自在に連結されている。
枠状部１１を使用姿勢に保持する保持手段は支持部１７と上記連結ピンによって構成されている。
【００１５】
符号２３はコの字状の把手を示し、この把手２３の両端部は枠状部１１の前面に固定されている。把手２３の両端部には水平方向へ延びる丸棒２５が固定されている。
符号２７は弾性変形可能な係止片を示し、この係止片２７は途中部分が斜め下方へ僅かに曲げられており、側面視がヘの字状に形成されている。係止片２７の基端部はフレーム３の上面に固定されており、先端部がフレーム３の前方を向いている。
【００１６】
符号２９はブラケットを示し、このブラケット２９はフレーム３の上面に固定され、このブラケット２９には係止フック３３が軸３１によって回動自在に支持されている。
係止フック３３は軸３１を中心として先端側が重くなるようにバランス設定されており、係止フック３３は自重によって図１において反時計回りの方向へ付勢されている。
枠状部１１を収納姿勢に保持する保持手段は丸棒２５、係止片２７及び係止フック３３によって構成されている。
【００１７】
符号３５は合成樹脂から成るネットを示し、このネット３５は柔軟性を有している。ネット３５は筒状を為しており、上側と下側とが開口している。ネット３５の上端部は、金属性の丸棒を折り曲げて矩形に形成した図示しない枠に保持されており、この枠と共にネット３５の上端部は枠状部１１の内側面に着脱可能に取り付けられている。ネット３５は、図１に示すように枠状部１１が使用姿勢になると下端が設置面Ｓに到達する丈を有している。
ネット３５の下端部にはウエイトとしてのチェーン３７が備えられている。
【００１８】
符号３９は開閉蓋を示し、この開閉蓋３９は金属性の細い丸棒を縦横に組んで構成されている。開閉蓋３９は２つ並んだ状態で設けられ、これらの開閉蓋３９の後端部は、枠状部１１の後端部に図示しない爪によって回動自在にそれぞれ支持されている。これにより、２つの開閉蓋３９は枠状部１１の開口１５を閉鎖する状態と開放する状態とに動作可能となっている。
開閉蓋３９の前端部には把手４１が取り付けられている。
枠状部１１、ネット３５及び開閉蓋３９によって囲まれた空間がゴミ収容空間４２となっている。
【００１９】
また、フレーム３の背面と側面には複数の穴４３が形成されている。
穴４３にはボルト４５が挿通されており、このボルト４５によってフレーム３が道端に設けられた固定部材、例えば建築物の壁面Ｒに固定されている。従って、フレーム３は建築物の壁面Ｒを介して設置面Ｓに対して強固に固定されている。
これら穴４３、ボルト４５によって固定部材用固定手段が構成されている。
【００２０】
符号４９は伸縮性を有する結束バンドを示し、この結束バンド４９の両端部にはフック５１、５３が取り付けられている。結束バンド４９は一対設けられており、一方の結束バンド４９は、穴４３の周縁にフック５１が掛けられてフレーム３の右側部に取り付けられている。また、他方の結束バンド４９も同様にしてフレーム３の左側部に取り付けられている。
結束手段は結束バンド４９とフック５１、５３によって構成されている。
【００２１】
次に、ゴミ集積場カバー装置１の使用方法について説明する。
図１に示すように枠状部１１を水平な姿勢で張り出す使用姿勢にする。
ゴミ袋Ｇを収容する場合には、図２に示すように開閉蓋３９の把手４１を持って開閉蓋３９を開ける。そして、開口１５からゴミ袋Ｇをゴミ収容空間４２内に入れてから、開閉蓋３９を閉じておく。
ゴミ収容空間４２内に入れられたゴミ袋Ｇは、枠状部１１、ネット３５及び開閉蓋３９によって覆われることになるので、カラス、猫等によってゴミが荒らされてしまうのを防止することができる。
また、ネット３５の下端部にはチェーン３７が備えられているので、ネット３５がめくれてしまうのを防止することができる。従って、カラス、猫等がゴミ収容空間４２に侵入するのを確実に防ぐことが可能である。
【００２２】
ゴミ袋Ｇを収集する際には、枠状部１１の把手２３を持ち、枠状部１１をフレーム３に重なる収納姿勢となる方向へ回動させる。枠状部１１が収納姿勢になる少し前までくると、丸棒２５が係止片２７の先端部に当接してこの先端部を僅かに押し上げながら通過する。係止片２７は自らの弾性力によって元の姿勢に戻り、図３に示すように丸棒２５を係止する。
【００２３】
また、枠状部１１が収納姿勢になる少し前までくると、丸棒２５が係止フック３３の先端部に当接してこの先端部を押し上げ、係止フック３３が軸３１を中心にして図３において時計回りの方向へ回動する。丸棒２５が係止フック３３の先端部を通過すると、係止フック３３が自重によって同図において反時計回りの方向へ回動して、丸棒２５を係止する。
これにより枠状部１１は収納姿勢に保持される。
【００２４】
また、上記のように枠状部１１を回動させると、ネット３５が枠状部１１と共に持ち上がり、ゴミ袋Ｇを覆っていた枠状部１１、ネット３５及び開閉蓋３９が除かれる。
このように枠状部１１を回動させるだけでゴミ袋Ｇを覆っていたネット３５等を除くことができるので、従来の装置のようにゴミ袋Ｇを開口１５からいちいち取り出す必要がなくなる。従って体を前方に倒し、且つ手をいっぱいに伸ばすような無理な姿勢をとる必要もなくなり、ゴミ袋Ｇを容易に収集することができる。
【００２５】
ゴミ集積場カバー装置１を使用しない場合には、枠状部１１を収納姿勢とした状態で、ネット３５の下端部を持ち上げてフレーム３の上端部に掛ける（図４、図５参照）。そして、左右の結束バンド４９のフック５３側の端部をそれぞれ持ち、これらの端部どうしを互いに近づけてフック５３どうしを係合させて、ネット３５を枠状部１１に結束する。
このようにネット３５を枠状部１１に結束しておけば、ネット３５が邪魔になるのを防止することが可能である。
また、フレーム３は、その側面が薄型に形成されているので、道路端などに設置しても通行の妨げになるのを防止することができる。
【００２６】
再び、ゴミ集積場カバー装置１を使用する場合には、フック５３どうしの係合を解除してネット３５と枠状部１１との結束を解いてから、ネット３５をフレーム３の上端部から外す。そして、係止フック３３の基端部を下方へ押して係止フック３３を回動させ、係止フック３３を図１の仮想線に示す状態にして、係止フック３３による係止を解除する。この状態のまま把手２３を持って手前に引くと、丸棒２５が係止フック３３の先端部を押し上げながら通過して、係止片２７による係止が解除される。次いで、枠状部１１を回動させて使用姿勢にする。
【００２７】
以上、本考案の実施の形態について詳述してきたが、具体的構成は、この実施の形態に限られるものではなく、本考案の要旨を逸脱しない範囲における設計の変更などがあっても考案に含まれる。
上記実施の形態では、ベースを、側面が薄型のフレーム３によって構成したが、ベースを、側面が薄型の板材によって構成してもよい。
枠状部１１を収納姿勢に保持する保持手段として係止片２７と係止フック３３を設ける構成にしたが、係止片２７または係止フック３３のいずれか一方を設ける構成にしてもよい。
フレーム３を建築物の壁面Ｒに固定したが、フレーム３を電柱や塀などの固定部材に固定してもよい。
ウエイトをチェーン３７によって構成したが、ウエイトは必ずしもチェーンに限られない。
【産業上の利用可能性】
【００２８】
本考案は、ゴミ集積場に設置するゴミ集積場カバー装置の製造業に利用可能である。
【符号の説明】
【００２９】
１…ゴミ集積場カバー装置      ３…フレーム      ５…連結アングル
７…固定片      ９…アンカーボルト      １１…枠状部
１３…連結アングル      １５…開口      １７…支持部
１９、２１…プレート      ２３…把手      ２５…丸棒
２７…係止片      ２９…ブラケット      ３１…軸
３３…係止フック      ３５…ネット      ３７…チェーン
３９…開閉蓋      ４１…把手      ４２…ゴミ収容空間
４３…穴      ４５…ボルト      ４９…結束バンド
５１、５３…フック
Ｓ…設置面            Ｒ…建築物の壁面      Ｇ…ゴミ袋
【図１】
0003163662.tif 000003
【図２】
0003163662.tif 000004
【図３】
0003163662.tif 000005
【図４】
0003163662.tif 000006
【図５】
0003163662.tif 000007
【手続補正書】
【提出日】平成22年8月19日(2010.8.19)
【手続補正１】
【補正対象書類名】実用新案登録請求の範囲
【補正対象項目名】請求項１
【補正方法】変更
【補正の内容】
【請求項１】
地面等の設置面に立設するフレームまたは板材からなるベースと、前記ベースを立設姿勢で設置面に固定する設置面用固定手段と、枠状部と、前記枠状部と前記ベースにそれぞれ連結され前記枠状部を前記ベースに対して回動自在とする連結手段と、前記枠状部を収納姿勢と使用姿勢にそれぞれ保持する保持手段と、前記枠状部に取り付けられて筒状を為し、且つ柔軟性を有する材料から構成され、前記枠状部が使用姿勢になると下端が設置面に到達する丈を有するネットと、前記枠状部に取り付けられ、前記枠状部の開口を閉鎖する状態と開放する状態とに動作する開閉蓋とから成ることを特徴とするゴミ集積場カバー装置。
【手続補正２】
【補正対象書類名】明細書
【補正対象項目名】０００５
【補正方法】変更
【補正の内容】
【０００５】
本考案は上記課題を解決するためになされたものであり、請求項１の考案は、地面等の設置面に立設するフレームまたは板材からなるベースと、前記ベースを立設姿勢で設置面に固定する設置面用固定手段と、枠状部と、前記枠状部と前記ベースにそれぞれ連結され前記枠状部を前記ベースに対して回動自在とする連結手段と、前記枠状部を収納姿勢と使用姿勢にそれぞれ保持する保持手段と、前記枠状部に取り付けられて筒状を為し、且つ柔軟性を有する材料から構成され、前記枠状部が使用姿勢になると下端が設置面に到達する丈を有するネットと、前記枠状部に取り付けられ、前記枠状部の開口を閉鎖する状態と開放する状態とに動作する開閉蓋とから成ることを特徴とするゴミ集積場カバー装置である。